(57)【要約】【課題】地上デジタルチューナのフロントエンドユニットと地上アナログチューナユニットをＡＶ機器に搭載する場合に、後面の板金にアース接続しながら両チューナを並べるには、両チューナの間隔を５ｃｍ以上あけるか、両チューナの間にシールド板を構成しないと、両チューナ間のクロストークによる受信障害が発生する。【解決手段】地上デジタルチューナのフロントエンドユニットと地上アナログチューナユニットの間にＢＳデジタルチューナのフロントエンドユニットを構成する。【選択図】  図１
2004282214.tif 000002
【特許請求の範囲】
【請求項１】
ＡＶ機器の後面近くまたは後面に接して複数のチューナを後面に対して平行に並べて搭載するＡＶ機器において、受信範囲が重なる第１のチューナと第２のチューナの間に受信範囲が重ならない第３のチューナを配置し、受信範囲が重なる第１のチューナと第２のチューナが所定の距離となるＡＶ機器。
【請求項２】
請求項１記載のＡＶ機器において、ＡＶ機器の後面を金属製でＡＶ機器のアースとし、第１のチューナと第２のチューナと第３のチューナの筐体を後面に固定することにより、第１のチューナと第２のチューナと第３のチューナの筐体アースをより強固にアース接地したＡＶ機器。
【発明の詳細な説明】
【０００１】
【発明の属する技術分野】
本発明は、複数のチューナを搭載したＡＶ機器に関するものである。
【０００２】
特に２００３年より地上デジタルテレビ放送が開始されるが、地上デジタルチューナとＢＳデジタルチューナを搭載するＡＶ機器であって、かつ地上アナログテレビ放送が全て地上デジタルテレビ放送に置き換わるまで、地上アナログチューナも搭載しないと現在放送中のテレビ放送を全て受信できないために、地上アナログチューナも搭載するＡＶ機器に関するものである。
【０００３】
【従来の技術】
従来、複数のチューナを搭載したＡＶ機器は、特開平９−１６３２７０号公報に記載されたものが知られている。特開平９−１６３２７０号公報のＡＶ機器では第１のチューナと第２のチューナの距離が短いため、第１のチューナと第２チューナのクロストークによる受信障害を抑えることが困難となっている。クロストークによる受信障害を起こさないためには５ｃｍ程度、第１のチューナと第２チューナを離すか、もしくは第１のチューナと第２のチューナの間にシールド板をはさむ必要がある。ＡＶ機器においてチューナは大型部品であり、後面近くに２つのチューナを５ｃｍ離して実装すると、他の部品レイアウトを妨げることになるし、またシールド板をはさむことはＡＶ機器が高価になるため、シールド板をはさまずに２つのチューナ離してＡＶ機器の右端に構成するのが一般的である。
【０００４】
図４は従来ＡＶ機器のチューナ部分の構成を示す概略斜視図面で、図５は従来ＡＶ機器の概略上面視図面で、受信範囲が同じチューナを後面から垂直方向に並べて構成されている。１１の第１の地上アナログチューナユニットは、特開平９−１６３２７０号公報のＡＶ機器に搭載されているスプリッターと第１のチューナと第１のＶＩＦ回路を一体化したものであり、１２の第２の地上アナログチューナユニットは、特開平９−１６３２７０号公報のＡＶ機器に搭載されている第２のチューナと第２のＶＩＦ回路を一体化したものである。４のアンテナ端子から入力された地上アナログテレビ放送の高周波信号は、１１の第１の地上アナログチューナユニット内に構成されているスプリッターで２分配される。第１の地上アナログチューナユニット内のスプリッターと第１のチューナとＶＩＦ回路は一枚のプリント基板で構成されているので、２分配された一方の高周波信号は第１のチューナにプリント基板のパターンで接続され、２分配されたもう一方の高周波信号は５の同軸ケーブルを介して第２の地上アナログチューナユニット内に構成されている第２のチューナに入力される。
【０００５】
【特許文献１】
特開平９−１６３２７０号公報
【０００６】
【発明が解決しようとする課題】
単一チューナしか搭載していないＡＶ機器の場合、ＡＶ機器の後面に構成されるアンテナ端子に接続される同軸ケーブルにＡＶ機器内に構成されているデジタル回路のクロック等の高調波が飛び込むことにより、画面にクロック等の高調波がビートになって現れる受信障害となるが、複数チューナ搭載のＡＶ機器の場合は、アンテナ端子に接続されるケーブル以外にも第１のチューナと第２のチューナを接続する同軸ケーブルにクロック等の高調波が飛び込むことにより受信障害を引き起こす。
【０００７】
このようなＡＶ機器においては、第１のチューナと第２のチューナを接続する同軸ケーブルが長く、またＡＶ機器内のデジタル回路とチューナ間を接続する同軸ケーブルが近いために、デジタル回路のクロック等がその同軸ケーブルに飛び込むやすい。よって従来のＡＶ機器においてはＥＭＣ対策を十分にとることが要求される。また、ＡＶ機器の後面をアースとした場合において第１のチューナの筐体を後面に固定することにより、第１のチューナの筐体アースをより強固にアース接地できる。しかし、第２のチューナは、第２のチューナを実装しているプリント基板のアースと第１のチューナと接続する同軸ケーブルでしかアース接地できていないが、このアース接地でＥＭＣ対策が不十分でより強固にアース接地しなければならない場合において、また第１のチューナと第２のチューナのアース電位を高周波的にも同電位とすることによりＥＭＣ対策が有効となる場合おいても、アース接続するためには、特開平９−１６３２７０号公報のＡＶ機器に搭載されている金属製のショートバーを実装する必要がある。
【０００８】
本発明は、受信範囲が重なる第１のチューナと第２のチューナ及び受信範囲が重ならない第３のチューナをＡＶ機器の後面近くまたは後面に接して、かつ後面対し平行に並べて搭載するＡＶ機器において、各チューナを所定距離内で実装することが可能で、単一チューナしか搭載していないＡＶ機器と同等のＥＭＣ対策で十分とすることができ、しかも第１のチューナと第２のチューナと第３のチューナのアース接地を強化しながら、第１のチューナと第２のチューナと第３のチューナ筐体アースを高周波的にも同電位にできる複数チューナを搭載したＡＶ機器を安価に提供することを目的としてなされたものである。
【０００９】
【課題を解決するための手段】
この課題を解決するために本発明のＡＶ機器は、受信範囲が重なる第１のチューナと第２のチューナの間に受信範囲が重ならない第３のチューナを配置し、受信範囲が重なる第１のチューナと第２のチューナが所定の距離となるよう構成したものである。
【００１０】
第１のチューナと第２のチューナを接続する同軸ケーブルを従来の同軸ケーブルより短くしかも後面近くに構成することができるため、ＥＭＣ対策が単一チューナしか搭載していないＡＶ機器と同等にすることができる。
【００１１】
また、ＡＶ機器の後面をアースとしている場合に、第１のチューナと第２のチューナと第３のチューナを後面に固定することにより、第１のチューナと第２のチューナと第３のチューナの筐体アースをより強固にアース接地することができるし、それぞれのチューナの筐体アース電位を高周波的にもより強固に同電位にすることができる。
【００１２】
【発明の実施の形態】
本発明の請求項１に記載の発明は、ＡＶ機器の後面近くまたは後面に接して複数のチューナを後面に対して平行に並べて搭載するＡＶ機器において、受信範囲が重なる第１のチューナと第２のチューナの間に受信範囲が重ならない第３のチューナを配置し、受信範囲が重なる第１のチューナと第２のチューナが所定の距離となるＡＶ機器であり、第１のチューナと第２のチューナとの距離を確保するとともに、第３のチューナの筐体が第１のチューナと第２のチューナにシールド板をはさんだことと同じ効果を実現することができるために、第１のチューナと第２のチューナのクロストークを完全に防ぐ作用を有するとともに、第１のチューナと第２のチューナを接続する同軸ケーブルを短くしかも後面近くにに構成することができるため、ＡＶ機器のＥＭＣ対策を単一チューナしか搭載していないＡＶ機器と同等にできることから、複数チューナを搭載したＡＶ機器を安価に提供できるという作用を有する。
【００１３】
また、本発明の請求項２に記載の発明は、請求項１記載のＡＶ機器において、ＡＶ機器の後面を金属製とすることにより後面をＡＶ機器のアースとして、第１のチューナと第２のチューナと第３のチューナの筐体を後面に固定することにより、第１のチューナと第２のチューナと第３のチューナの筐体アースをより強固にアース接地したＡＶ機器であり、第１のチューナと第２のチューナと第３のチューナの筐体アースをより強固にアース接地することができ、第１のチューナと第２のチューナと第３のチューナの筐体アースをより強固に同電位とすることが安価にできるという作用を有する。
【００１４】
以下本発明の実施形態について、図１から図３を用いて説明する。
【００１５】
図１は本発明の実施の形態におけるＡＶ機器のチューナ部分の構成を示す概略斜視図面で、図２はＡＶ機器の概略上面視図面を、図３はＡＶ機器全体の概略ブロック図を示している。
【００１６】
図１において、１は地上アナログチューナユニット、２は地上デジタルチューナのフロントエンドブロック、３はＢＳデジタルチューナのフロントエンドユニットで４はアンテナ端子、５は１の地上アナログチューナユニットを接続する同軸ケーブルである。
ＡＶ機器の後面（図時せず）を金属製とすることにより後面をＡＶ機器のアースとして、地上アナログチューナユニット１、地上デジタルチューナ２、ＢＳデジタルチューナ３が、後面に固定されることにより、より強固にアース接地ができる。
図２の６のデジタル回路は図３の９のＭＰＥＧエンコーダ回路と１０のＭＰＥＧデコーダ回路であり、図２の７は記録再生ユニットで、図２の８は図３の各回路ブロックへ動作電源を供給する電源ユニットである。尚、図３のＡＶ機器全体の概略ブロック図には、図２の８の電源ユニットは省略して書いていない。
【００１７】
以上のように構成された複数チューナと搭載したＡＶ機器について、以下その動作について説明する。
【００１８】
まず１の地上アナログチューナユニットは４のアンテナ端子から入力される地上アナログテレビ放送及び地上デジタルテレビ放送の高周波信号を２分配して、２の地上デジタルチューナに入力するとともに、２分配した一方の高周波信号の内、一つの地上アナログテレビ放送の高周波信号を選択して、アナログ映像音声信号に復調する。復調したアナログ映像音声信号は、９のＭＰＥＧエンコーダ回路において、ＭＰＥＧ信号にエンコードされて７の記録再生ユニットに入力される。次に２の地上デジタルチューナのフロントエンドユニットは、入力された高周波信号の内、一つの地上デジタルテレビ信号を選択してＭＰＥＧ信号に復調する。復調したＭＰＥＧ信号は７の記録再生ユニットに入力される。さらに３のＢＳデジタルチューナのフロントエンドユニットは、４のアンテナ端子から入力されるＢＳデジタル放送の高周波信号の中から、一つのＢＳデジタル放送を選択して、ＭＰＥＧ信号に復調する。復調されたＭＰＥＧ信号も７の記録再生ユニットに入力される。７の記録再生ユニットは入力されたＭＰＥＧ信号の内、１つのＭＰＥＧ信号を選択して、１０のＭＰＥＧデコーダ回路に出力しながら、７の記録再生ユニット内の記録メディアにＭＰＥＧ信号を記録する。また、７の記録再生ユニットは記録しているＭＰＥＧ信号を１０のＭＰＥＧデコーダ回路に出力せずに、記録再生ユニット内の記録メディアに記録されたＭＰＥＧ信号を再生し、再生されたＭＰＥＧ信号を１０のＭＰＥＧデコーダ回路に出力する。１０のＭＰＥＧデコーダ回路はＭＰＥＧ信号をアナログ映像音声信号にデコードする。デコードした映像音声を外部のテレビジョン等に接続することにより、地上デジタルテレビ放送、地上アナログテレビ放送、ＢＳデジタル放送をリアルタイムに視聴することもできるし、記録メディアに記録して再生すれば、タイムシフト視聴することもできる。また、１０のＭＰＥＧデコーダ回路は、いわゆる地上デジタルチューナ及びＢＳデジタルチューナのバックエンドであり、１の地上アナログチューナユニットと５の接続ケーブルと７の記録再生ユニットと９のＭＰＥＧエンコーダ回路を削除し、３の地上デジタルチューナユニットにも４のアンテナ端子を構成することにより、地上ＢＳデジタル共用チューナとなる。したがって本実施例は地上アナログテレビ放送のＭＰＥＧ記録再生装置に地上ＢＳデジタル共用チューナを搭載し、地上アナログテレビ放送に加え、地上デジタルテレビ放送及びＢＳデジタル放送の記録再生を１台で提供することができるＡＶ機器である。
【００１９】
以上のように本実施形態により、複数の放送メディアを記録再生するＡＶ機器において複数のチューナを搭載する必要があるが、複数チューナの内受信範囲が重なるチューナと重ならないチューナを搭載する場合に、複数チューナを安価に後面に固定して構成できることとなる。
【００２０】
【発明の効果】
以上のように本発明により、以下のように有利な効果が得られる。
【００２１】
従来のＡＶ機器で地上アナログチューナユニットを２個つんでいるのは、記録メディアには、ハードディスク、ＤＶＤ−ＲＡＭ、Ｄ−ＶＨＳ等があるが、これらの記録メディアを２つ搭載し、同時に２つの地上アナログテレビ放送を記録するためである。
【００２２】
将来、地上アナログテレビ放送が廃止されて地上アナログチューナユニットが不要となっても、地上デジタルテレビ放送を同時に２つ記録する場合には地上デジタルチューナのフロントエンドユニットが２個必要になるため、本発明は有効であり、また、ＢＳデジタルチューナのフロントエンドは１１０度デジタルＣＳ放送も受信可能であるため、ＢＳデジタル放送と１１０度ＣＳデジタル放送を同時に２つ記録する場合には、ＢＳデジタルチューナのフロントエンドユニットも２個必要になるため、本発明を有効に活用できる。
【００２３】
また、地上デジタルチューナのフロントエンドユニットと地上アナログチューナユニット間の距離を８ｃｍ以内で、その間に約１．５ｃｍの厚みがあるＢＳデジタルチューナのフロントエンドユニットが実装できれば、各チューナ間の距離は３．２５ｃｍ以内となるため、３つのチューナをコンパクトにＡＶ機器に実装することができることになり、ＡＶ機器の小型化に貢献する。
【図面の簡単な説明】
【図１】本発明の実施形態におけるＡＶ機器のチューナ部分の構成を示す概略斜視図
【図２】本発明の実施形態におけるＡＶ機器の概略上面視図
【図３】本発明の実施形態におけるＡＶ機器全体の概略ブロック図
【図４】従来のＡＶ機器のチューナ部分の構成を示す概略斜視図
【図５】従来のＡＶ機器の概略上面視図
【符号の説明】
１  地上アナログチューナユニット
２  地上デジタルチューナのフロントエンドユニット
３  ＢＳデジタルチューナのフロントエンドユニット
４    アンテナ端子
５    同軸ケーブル
６    デジタル回路
７    記録再生ユニット
８    電源ユニット
９    ＭＰＥＧエンコーダ回路
１０    ＭＰＥＧデコーダ回路
１１    第１の地上アナログチューナユニット
１２    第２の地上アナログチューナユニット
【図１】
2004282214.tif 000003
【図２】
2004282214.tif 000004
【図３】
2004282214.tif 000005
【図４】
2004282214.tif 000006
【図５】
2004282214.tif 000007